(57)【要約】【課題】複数のネットワーク網を光信号のままで接続を切り替えることができ、単一リング網と同様のプロテクション機能を有すること。【解決手段】少なくとも２回線の光伝送路１００，１０５（１１０，１１５）によってそれぞれが構成されているリング網Ａ，Ｂの交差箇所に配置され、複数のリング網Ａ，Ｂを互いに光接続する光ノード１３０であって、複数のリング網Ａ，Ｂを、複数の回線１００，１０５（１１０，１１５）を切り替えて光接続する光クロスコネクトスイッチ部１３１と、光クロスコネクトスイッチ部１３１の切り替えを制御する制御手段と、を備える。【選択図】        図１−２
2006191212.tif 000002
【特許請求の範囲】
【請求項１】
少なくとも２回線の光伝送路によってそれぞれが構成されている複数の光ネットワーク網の交差箇所に配置され、前記複数の光ネットワーク網を互いに光接続する光ノードであって、
前記複数の光ネットワーク網が有する前記複数の回線を切り替えて、前記複数の光ネットワーク網を光接続する波長選択スイッチと、
前記波長選択スイッチの切り替えを制御し、前記複数の光ネットワーク網のいずれかの回線において前記光伝送路の障害が発生したことを示す故障情報の入力に基づいて、前記波長選択スイッチを、障害が発生した前記回線を迂回する他の回線を用いた接続に切り替えを行う制御手段と、
を備えたことを特徴とする光ノード。
【請求項２】
前記制御手段は、前記複数のネットワーク網において障害が発生したネットワーク網における当該障害が発生した回線を迂回する他の回線に接続を切り替え、前記障害が未発生のネットワーク網では前記障害発生の前後における回線の切り替えを不実行とすることを特徴とする請求項１に記載の光ノード。
【請求項３】
前記波長選択スイッチは、前記複数の光ネットワーク網を構成している光伝送路の前記回線の入力側と出力側にそれぞれ設けられる複数の１入力Ｎ出力またはＮ入力１出力（Ｎは２以上の整数）波長選択スイッチからなり、
前記回線の入力側に設けられる複数の波長選択スイッチが有する複数の出力ポートと、前記回線の出力側に設けられる複数の波長選択スイッチが有する複数の入力ポートとは、前記入力側と出力側とを透過（Ｔｈｒｕ）させる経路のポート間接続、および前記入力側と出力側とが異なる波長選択スイッチにクロスして接続させた経路のポート間接続、であることを特徴とする請求項１に記載の光ノード。
【請求項４】
現用回線と、予備回線からなる２回線の光伝送路によってそれぞれが構成されている複数の光ネットワーク網の交差箇所に配置され、前記複数の光ネットワーク網を互いに光接続する光ノードであって、
前記複数の光ネットワーク網がそれぞれ有する前記現用回線同士を互いに接続する第１の波長選択スイッチと、
前記複数の光ネットワーク網がそれぞれ有する前記予備回線同士を互いに接続する第２の波長選択スイッチと、
を備えたことを特徴とする光ノード。
【請求項５】
少なくとも２回線の光伝送路によってそれぞれが構成されている複数の光ネットワーク網のノードにそれぞれ配置され、前記光ネットワーク網に対して光信号の分岐および挿入を行う光分岐挿入装置において、
前記光ネットワーク網が有する光伝送路の回線にそれぞれ接続され、前記光信号を分岐あるいは挿入させる複数の波長選択スイッチと、
前記ノードに分岐あるいは挿入させる前記光信号を前記複数の波長選択スイッチのうち一つに接続するために接続を切り替える切り替え用１波光スイッチあるいは光カプラと、
前記切り替え用１波光スイッチあるいは光カプラの接続を切り替えて、前記ノードにおいて前記光信号を分岐あるいは挿入させるために用いる前記回線を選択する制御手段と、
を備えたことを特徴とする光分岐挿入装置。
【発明の詳細な説明】
【技術分野】
【０００１】
本発明は、波長選択スイッチを内蔵して複数のネットワーク網を接続する光ノードとネットワーク網のノードに配置される光分岐挿入装置に関し、特に、各ネットワーク網を光信号のまま接続できるとともに、障害発生時であっても光信号を継続できる光ノードおよび光分岐挿入装置に関する。
【背景技術】
【０００２】
従来のメトロシステムは、光ファイバによって単一のリングを形成した伝送路網（以下、「リング網」という）が主に用いられている。メトロシステムは、光ファイバ断線等の障害時に高速でサービス復旧を行う高信頼性が求められている。例えば、高速デジタル通信方式の国際規格であるＳＯＮＥＴ／ＳＤＨ規格では、サービス復旧は５０ｍｓｅｃ以内に行わなければならない。このような障害時の対策として単一のリング網においては、一般的にＯＵＰＳＲ（Ｏｐｔｉｃａｌ  Ｕｎｉｄｉｒｅｃｔｉｏｎａｌ  Ｐａｔｈ  Ｓｗｉｔｃｈｅｄ  Ｒｉｎｇ）と、ＯＳＰＰＲ（Ｏｐｔｉｃａｌ  Ｓｈａｒｅｄ  Ｐａｔｈ  Ｐｒｏｔｅｃｔｉｏｎ  Ｒｉｎｇ）といった２種類の光プロテクション方式が採用されている。
【０００３】
図９−１は、ＯＵＰＳＲ方式におけるリング網の構成を示す図である。ＯＵＰＳＲ方式は、光伝送を行うリング網Ｅに、現用回線１０（上り側）と、予備回線２０（下り側）が別々に設けられており、このリング網Ｅ上に複数の光分岐挿入装置３０ａ〜３０ｄ（ＯＡＤＭノード：Ｏｐｔｉｃａｌ  Ａｄｄ  Ｄｒｏｐ  Ｍｕｌｔｉｐｌｅｘｅｒ）を備えた冗長構成が特徴である。
【０００４】
ＯＡＤＭノード（３０ａ〜３０ｄ）は、トランスポンダ（送受信器）３１と、ＯＡＤＭスイッチ（ＳＷ）３２ａ，３２ｂ，光カプラ３３’，１波光スイッチ（ＳＷ）３３から構成されている（例えば、特許文献１参照。）。ＯＡＤＭスイッチ（ＳＷ）３２ａは現用回線１０用、ＯＡＤＭスイッチ部（ＳＷ）３２ｂは予備回線２０用である。トランスポンダ３１からの送信信号は、光カプラ３３’により現用回線と予備回線に同時に流される。また、１波光スイッチ（ＳＷ）３３は現用回線１０と予備回線２０との切り替え用としてそれぞれ用いられる。ＯＵＰＳＲでは、送信側では通常、光カプラ３３‘を用い、現用回線１０と予備回線２０に同時に信号を流す。なお、ＯＳＰＰＲでは、送信側にも１波光スイッチ３３を用いる。
【０００５】
例えば、送信端となるＯＡＤＭノード３０ａは、トランスポンダ３１からの送信用の光信号を光カプラ３３’等で分岐し、ＯＡＤＭスイッチ部（ＳＷ）３２ａおよびＯＡＤＭスイッチ部（ＳＷ）３２ｂへ接続することにより、同一の光信号を現用回線１０と予備回線２０へ同時に伝送する。受信端となるＯＡＤＭノード、例えば、ＯＡＤＭノード３０ｃは、１波光スイッチ（ＳＷ）３３を現用回線１０用のＯＡＤＭスイッチ部（ＳＷ）３２ａと接続する。これにより、通常は、現用回線１０を伝送されてきた光信号のみがトランスポンダ３１により受信される。なお、ＯＡＤＭスイッチ部の構成例を図９−２、図９−３に示す。図９−２は、ＡＷＧ（Ａｒｒａｙｅｄ  Ｗａｖｅｇｕｉｄｅ）等の光合分波器と１波光スイッチを組み合わせた構成で、従来から一般的に用いられている構成である。また、図９−３は、近年開発が進められている波長選択スイッチを用いた場合の構成例である（例えば、非特許文献３参照）。
【０００６】
図９−４は、障害発生時のＯＵＰＳＲ方式の復旧動作を示す図である。リング網Ｅの送信端となるＯＡＤＭノード３０ａと、受信端となるＯＡＤＭノード３０ｃとの間の現用回
線１０に障害１１が発生したとする。この障害１１により、光信号が切断された場合は、受信端となるＯＡＤＭノード３０ｃにおいて、１波光スイッチ（ＳＷ）３３の接続を、現用回線１０用のＯＡＤＭスイッチ部（ＳＷ）３２ａから予備回線２０用のＯＡＤＭスイッチ部（ＳＷ）３２ｂへ切り替える。このように、現用回線１０に障害１１が発生したときには予備回線２０を用いることにより、送信端となるＯＡＤＭノード３０ａから予備回線２０を介して伝送されてきた光信号をＯＡＤＭノード３０ｃのトランスポンダ３１で受信できる構成となっている（例えば、非特許文献１参照。）。
【０００７】
障害１１の発生の検出は、受信端のＯＡＤＭノード３０ｃのトランスポンダ３１においてフォトダイオード（ＰＤ）等で光パワーレベルの低下を検知する方法がある。また、通過する光信号の情報を持っている故障地点直後のＯＡＤＭノード（例えば、図９−２におけるＯＡＤＭノード３０ｂ）が障害１１を検知し、監視用のチャネル（Ｏｐｔｉｃａｌ  Ｓｕｐｅｒｖｉｓｏｒｙ  Ｃｈａｎｎｅｌ；ＯＳＣ）を介してＡＩＳ（Ａｌａｒｍ  Ｉｎｄｉｃａｔｉｏｎ  Ｓｉｇｎａｌ；故障情報）を送信して受信端のＯＡＤＭノード３０ｃに報知する方法などもある。
【０００８】
図１０−１は、ＯＳＰＰＲ方式におけるリング網の構成を示す図である。ＯＳＰＰＲ方式は、図示したリング網Ｆのように予備回線を設けずに、同一波長で別の情報の光信号を上り（第１の現用回線１５）と、下り（第２の現用回線２５）の２回線に収容する構成としたものである。２つの現用回線１５，２５を設けることで回線の使用効率を高めることができる。
【０００９】
リング網Ｆ上に備えられたＯＡＤＭノード（３５ａ〜３５ｄ）は、それぞれ、２つのトランスポンダ３６ａ，３６ｂと、２つのＯＡＤＭスイッチ（ＳＷ）３７ａ，３７ｂ，１波光スイッチ３８から構成される。トランスポンダ３６ａとＯＡＤＭスイッチ部（ＳＷ）３７ａは第１の現用回線１５用であり、トランスポンダ３６ｂとＯＡＤＭスイッチ部（ＳＷ）３７ｂは第２の現用回線２５用である。１波光スイッチ（ＳＷ）３８は、第１の現用回線１５と第２の現用回線２５との切り替え用として用いられる。
【００１０】
送信端となるＯＡＤＭノード３５ａのトランスポンダ３６ａは、第１の現用回線１５を用い、ＯＡＤＭノード３５ｃを受信端として光信号の伝送を行う。同じくＯＡＤＭノード３５ａのトランスポンダ３６ｂは、第２の現用回線２５を用いてＯＡＤＭノード３５ｄを受信端として光信号の伝送を行う。このとき第１の現用回線１５を伝送するのは優先度の最も高い光信号である。同時に、第１の現用回線１５の空いているパスを用いて、ＯＡＤＭノード３５ｃを送信端、ＯＡＤＭノード３５ｄを受信端として、光信号の伝送を行うこともできる。
【００１１】
図１０−２は、障害発生時のＯＳＰＰＲ方式の復旧動作を示す図である。送信端となるＯＡＤＭノード３５ａと、ＯＡＤＭノード３５ｂの間に障害１１が発生して上り側の現用回線１５からの光信号が切断された場合は、まず受信端となるＯＡＤＭノード３５ｃにおいて、１波光スイッチ（ＳＷ）３８の接続を第１の現用回線１５用のＯＡＤＭスイッチ部（ＳＷ）３７ａから第２の現用回線２５用のＯＡＤＭスイッチ部（ＳＷ）３７ｂへ切り替える。次に、送信端であるＯＡＤＭノード３５ａにおいても同様に、１波光スイッチ（ＳＷ）３８の接続を第１の現用回線１５用のＯＡＤＭスイッチ部（ＳＷ）３７ａから第２の現用回線２５用のＯＡＤＭスイッチ部（ＳＷ）３７ｂへ切り替える。
【００１２】
このように、障害発生時には、伝送可能な第２の現用回線２５を一時的に第１の現用回線１５に置き換えて伝送を行う。この際、障害１１の発生前に第２の現用回線２５に伝送されていた優先度の低い光信号は、切断されるようになっている（例えば、非特許文献２参照。）。
【００１３】
障害１１の発生の検出は、まず通過する光信号の情報を持っている障害１１の直後のＯＡＤＭノード３５ｂが障害１１を検知する。次に、ＯＡＤＭノード３５ｂから監視用のチャネル（ＯＳＣ）を用いてＡＩＳ（故障情報）を、ＯＡＤＭノード３５ｃ、ＯＡＤＭノード３５ｄ、ＯＡＤＭノード３５ａへと第１の現用回線１５の伝送方向の順に報知することで行われる。
【００１４】
図１１は、複数のリング網の光−電気変換による接続例を示す図である。現在、ＯＡＤＭノード４０を備えたリング網Ｇ，Ｈは、互いにノード４５を介して接続する。このノード４５は、リング網Ｇ，Ｈの光ファイバ１０，２０を伝送する光信号を電気信号に変換して電気スイッチ４６により波長や経路を切り替えるようになっている。
【００１５】
図１２−１、図１２−２は、波長選択スイッチの機能を示す図、図１２−３は、波長選択スイッチの構成を示す斜視図、図１２−４は、波長選択スイッチの構成を示す側面図である。このような波長選択スイッチは、特許文献２に開示されている。
【００１６】
波長選択スイッチ（Ｗａｖｅｌｅｎｇｔｈ−ｓｅｌｅｃｔｉｖｅ  Ｓｗｉｔｃｈ；  ＷＳＳ）１２００は、入力波長多重信号から任意の波長を選択して、任意の出力ポートに出すことができるスイッチである。一般的には、可逆動作性を持ち、図１２−１に示すように１入力Ｎ出力、および図１２−２に示すようにＮ入力１出力の形で用いることができる。
【００１７】
図１２−３において、波長選択スイッチ１２００は、波長多重された光信号を分光するための分光素子１２０１、入出力ポート等を有する入出力光学系（入力光学系および出力光学系）１２０２、集光光学系１２０３、波長毎に配置される可動反射体アレイ（ミラーアレイ）１２０４から構成される。図示の分光素子１２０１は、透過型の回折格子を用いた例であり、この分光素子１２０１は、入力された波長多重（ＷＤＭ；Ｗａｖｅｌｅｎｇｔｈ  Ｄｉｖｉｓｉｏｎ  Ｍｕｌｔｉｐｌｅｘｉｎｇ）光を波長毎に異なる方向（図１２−３のＺ方向）に分散して出力する。角度分散方向に沿った光は、ＺＸ平面に広がる。対応して、可動反射体１２０４には、波長の分散方向（図の横方向）に沿ってチャネル毎に複数の可動反射体（ＭＥＭＳミラー）が設けられている。
【００１８】
図１２−５は、波長選択スイッチにおけるポート切り替え動作を示す側面図である。図１２−５に示すように、可動反射体１２０４の角度をポートの配列方向（図のＹ方向）に沿って変化させることにより、入力ポート（ＩＮ）から入力された光を、チャネル毎に出力ポート（ＯＵＴ）のうちいずれか一つに振り分けることができる。
【００１９】
【特許文献１】特表平１１−５０８４２８号公報
【特許文献２】特表２００３−５１５１８７号公報
【非特許文献１】河西宏之著、外３名、「わかりやすいＳＤＨ／ＳＯＮＥＴ伝送方式」、第１版、オーム社、平成１３年４月、ｐ．１１０−１１８
【非特許文献２】矢島昇著、外２名、「富士通  ＦＬＡＳＨＷＡＶＥ７５００」、ＯＰＴＲＯＮＩＣＳ、オプトロニクス社、平成１４年８月、ｐ．１５８−１６１
【非特許文献３】Ｗ．  Ｊ．  Ｔｏｍｌｉｎｓｏｎ、「Ｗａｖｅｌｅｎｇｔｈ−ｓｅｌｅｃｔｉｖｅ  ｓｗｉｔｃｈｉｎｇ  ａｒｃｈｉｔｅｃｔｕｒｅ  ａｎｄ  ｔｅｃｈｎｏｌｏｇｙ  ｏｖｅｒｖｉｅｗ」、ＯＦＣ  ２００４、ＷＣ３、Ｏｐｔｉｃａｌ  Ｓｏｃｉｅｔｙ  ｏｆ  Ａｍｅｒｉｃａ、２００４年２月
【発明の開示】
【発明が解決しようとする課題】
【００２０】
しかしながら、上述のようなノード４５は、光信号を電気信号に変換し、電気信号の状態で経路切り替え等を行う構成であるため、伝送容量が制限されること、ノード全体が高価格・大型になること、信号フォーマットが固定されることなどの様々な課題がある。このため、光信号のままで複数のリング間を接続する光ノードと、上記プロテクション機能を有するネットワーク構成が求められている。
【００２１】
この発明は、上述した問題点を解消するため、波長選択スイッチを用いて複数のネットワーク網を光信号のままで接続を切り替えることができ、単一リング網と同様のプロテクション機能を有する光ノードおよび光分岐挿入装置を提供することを目的とする。
【課題を解決するための手段】
【００２２】
上述した課題を解決し、目的を達成するため、この発明にかかる光ノードは、少なくとも２回線の光伝送路によってそれぞれが構成されている複数の光ネットワーク網の交差箇所に配置され、前記複数の光ネットワーク網を互いに光接続する光ノードであって、前記複数の光ネットワーク網が有する前記複数の回線を切り替えて、前記複数の光ネットワーク網を光接続する波長選択スイッチと、前記波長選択スイッチの切り替えを制御し、前記複数の光ネットワーク網のいずれかの回線において前記光伝送路の障害が発生したことを示す故障情報の入力に基づいて、前記波長選択スイッチを、障害が発生した前記回線を迂回する他の回線を用いた接続に切り替えを行う制御手段と、を備えたことを特徴とする。
【００２３】
この発明の光ノードによれば、複数の光ネットワーク網の複数の回線が波長選択スイッチにより光接続され、波長選択スイッチの切り替えにより複数の光ネットワーク網の回線を光信号のまま経路切り替えすることができる。そして、光ネットワークの回線に障害が発生したときであっても波長選択スイッチの切り替えにより回線を切り替えて光信号の伝送を継続できるようになる。
【００２４】
また、この発明にかかる光分岐挿入装置は、少なくとも２回線の光伝送路によってそれぞれが構成されている複数の光ネットワーク網のノードにそれぞれ配置され、前記光ネットワーク網に対して光信号の分岐および挿入を行う光分岐挿入装置において、前記光ネットワーク網が有する光伝送路の回線にそれぞれ接続され、前記光信号を分岐あるいは挿入させる複数の波長選択スイッチと、前記ノードに分岐あるいは挿入させる前記光信号を前記複数の波長選択スイッチのうち一つに接続するために接続を切り替える切り替え用１波光スイッチあるいは光カプラと、前記切り替え用１波光スイッチあるいは光カプラの接続を切り替えて、前記ノードにおいて前記光信号を分岐あるいは挿入させるために用いる前記回線を選択する制御手段と、を備えたことを特徴とする。
【００２５】
この発明の光分岐挿入装置によれば、光ネットワーク網の回線にそれぞれ設けられた複数の波長選択スイッチにより回線に対する光信号の分岐や挿入を行えるとともに、切り替え用１波光スイッチの切り替えにより回線毎に設けられた波長選択スイッチを選択することができ、光信号を分岐あるいは挿入させる回線を選択することができるようになる。そして、光ネットワークの回線に障害が発生したときであっても切り替え用１波光スイッチを切り替えることにより回線を切り替えて光信号の伝送を継続できるようになる。
【発明の効果】
【００２６】
本発明によれば、複数の光ネットワーク網を光信号のまま接続でき、複数の光ネットワークが有する回線の経路切り替えができるようになる。これにより、伝送路に障害が発生した場合であっても、既存のプロテクション方式が適用でき、回線を切り替えて光信号の伝送を継続させて、信頼性の高い伝送を確保できるようになる。
【発明を実施するための最良の形態】
【００２７】
以下に添付図面を参照して、この発明にかかる光ノードおよび光分岐挿入装置の好適な実施の形態を詳細に説明する。
【００２８】
（実施の形態１）
図１−１は、実施の形態１にかかる光ネットワークの構成を示す図である。実施の形態１は、複数のリング網を、光信号のまま経路等の切り替えを行う光ノードで接続する。また、障害発生時の復旧にはＯＳＰＰＲ方式を用いる。
【００２９】
リング網Ａは、第１の現用回線１００と第２の現用回線１０５からなり、リング網Ａ上に複数のＯＡＤＭノード１２０（１２０ａ〜１２０ｃ）を備えた構成である。リング網Ｂは、第１の現用回線１１０と第２の現用回線１１５からなる。リング網Ｂ上には、光分岐挿入装置であるＯＡＤＭノード１２０（１２０ｄ〜１２０ｆ）が複数配置される構成となっている。
【００３０】
リング網Ａ，Ｂは、入力４系統、出力４系統（４×４）の光クロスコネクトスイッチ部（ＯＸＣ  ＳＷ）１３１からなる光ノード１３０によって接続されている。また、第１の現用回線１００，１１０と、第２の現用回線１０５，１１５は、相反する伝送方向となっており、第１の現用回線１００，１１０は、優先度の最も高い光信号を伝送するために用い、第２の現用回線１０５，１１５は、それ以外の光信号を伝送するために用いる。
【００３１】
ＯＡＤＭノード１２０（１２０ａ〜１２０ｆ）は、それぞれ光スイッチ部と監視・制御部とを備えている。監視・制御部は、リング網Ａ，Ｂに障害が発生した場合の復旧動作を行う構成部である。監視・制御部の構成および動作の詳細は後述する。ここでは、まずＯＡＤＭノード１２０（１２０ａ〜１２０ｆ）の光スイッチ部の構成について説明する。
【００３２】
ＯＡＤＭノード１２０（１２０ａ〜１２０ｆ）は、第１の現用回線１００，１１０用のトランスポンダ１２１ａと、第２の現用回線１０５，１１４用のトランスポンダ１２１ｂと、第１の現用回線１００，１１０用のＯＡＤＭスイッチ部（ＳＷ）１２２ａと、第２の現用回線１０５，１１５用のＯＡＤＭスイッチ部（ＳＷ）１２２ｂと、第１の現用回線１００，１１０と第２の現用回線１０５，１１５との接続を切り替える接続切り替え用の１波光スイッチ（ＳＷ）１２３と、によって構成される。また、ＯＡＤＭノード１２０（１２０ａ〜１２０ｆ）には、監視・制御部内に不図示の光パワーモニタが備えられており、この光パワーモニタにより障害発生の検出を行う。
【００３３】
次に、リング網ＡのＯＡＤＭノード１２０ａを送信端とし、リング網ＢのＯＡＤＭノード１２０ｅを受信端として、第１の現用回線１００，１１０を用いて光信号を伝送する場合の動作を説明する。ＯＡＤＭノード１２０ａのトランスポンダ１２１ａから伝送された光信号は、１波光スイッチ１２３により第１の現用回線１００用のＯＡＤＭスイッチ部１２２ａへ接続される。第１の現用回線１００上に伝送された光信号は、ＯＡＤＭノード１２０ｂを経て光ノード１３０に入力され、光クロスコネクトスイッチ部１３１を介してリング網Ｂの第１の現用回線１１０に接続される。
【００３４】
さらに光信号は、ＯＡＤＭノード１２０ｆを経て、受信端となるＯＡＤＭノード１２０ｅの第１の現用回線１１０用のＯＡＤＭスイッチ部１２２ａから、１波光スイッチ１２３に接続され、１波光スイッチ（ＳＷ）１２３により第１の現用回線１１０用のトランスポンダ１２１ａに受信される。このように、通常の動作時では、第１の現用回線１００，１１０と、第２の現用回線１０５，１１５との接続切り替え用の１波光スイッチ１２３は、第１の現用回線１００，１１０用のＯＡＤＭスイッチ部１２２ａに接続されている。
【００３５】
また、上述した光信号の伝送とは別に、例えば、リング網Ａでは、第２の現用回線１０
５を用いてＯＡＤＭノード１２０ａからＯＡＤＭノード１２０ｃに対して光信号を伝送させたり、リング網Ｂでは、第２の現用回線１１５を用いてＯＡＤＭノード１２０ｅからＯＡＤＭノード１２０ｆへの伝送等を同時に行うことができる。
【００３６】
図１−２は、実施の形態１における障害発生時の復旧動作を示す図である。また、図２は、障害発生から各ＯＡＤＭノードの光スイッチの切り替えまでの処理を示すフローチャートである。図１−２に示すように、送信端としてのＯＡＤＭノード１２０ａと、ＯＡＤＭノード１２０ｂとの間で障害１１が発生すると（ステップＳ２０１）、障害１１の発生地点の直後のＯＡＤＭノード１２０ｂは、図示しない光パワーモニタによって光信号の切断を検出する（ステップＳ２０２）。
【００３７】
障害１１を検出したＯＡＤＭノード１２０ｂは、光ノード１３０に障害１１を報知する（ステップＳ２０３）。具体的には、第１の現用回線１００の監視用チャネル（ＯＳＣ）を用いて光ノード１３０に光信号の切断の情報（ＡＩＳ）を送出する。さらに、ＯＡＤＭノード１２０ｂは、第１の現用回線１００上に光信号の切断を知らせる故障情報（ＡＩＳ）を送出し、送信端であるＯＡＤＭノード１２０ａにも障害１１を報知する（ステップＳ２０４）。
【００３８】
障害１１を報知された光ノード１３０は、障害１１が発生した回線と逆周りの回線（実施の形態１では第２の現用回線１０５）と、リング網Ｂの第１の現用回線１１０とを接続させるため光クロスコネクトスイッチ部１３１の切り替えを行う（ステップＳ２０５）。また、送信端であるＯＡＤＭノード１２０ａでは、第１の現用回線１００用のトランスポンダ１２１ａからの光信号を第２の現用回線１０５へ伝送するために１波光スイッチ（ＳＷ）１２３を、通常時に接続されている第１の現用回線１００から第２の現用回線１０５へ接続の切り替えを行う（ステップＳ２０６）。以上説明した動作により、実施の形態１におけるプロテクションは終了し、光信号は受信端のＯＡＤＭノード１２０ｅのトランスポンダ１２１ａによって受信を継続することができるようになる。
【００３９】
上述したように、優先度の最も高い光信号が第１の現用回線１００，１１０に伝送されるため、第１の現用回線１００用，１１０のトランスポンダ１２１ａによって入出力が行われる。よって、回線に障害１１が発生した場合であっても、送信端および受信端のいずれにおいても優先度が高いトランスポンダ１２１ａを用いた通信を継続させることができ、信頼性の高い伝送を確保することができる。なお、第２の現用回線１０５を用いて伝送されていた優先度の低い光信号は、ＯＡＤＭノード１２０ａの１波光スイッチ（ＳＷ）１２３の切り替えと同時に切断されることになる。
【００４０】
図３−１は、ＯＡＤＭノードおよび光ノードの内部構成を示すブロック図である。ＯＡＤＭノード１２０、および光ノード（波長クロスコネクトノード）１３０は、光スイッチ部３００と、監視・制御部３１０の２つの機能部を備えている。さらに、入力側の伝送路には波長分離フィルタ３０１が設けられ、出力側の伝送路には波長合波フィルタ３０２が設けられる。監視・制御部３１０の入力側には、光受信機３１１が設けられ、出力側には光送信機３１２が設けられている。一般的に、リング網を伝送する光信号は、伝送信号チャネル上を流れる送受信用の複数波長の光信号（λ１〜λｎ）と、ＡＩＳを含めた監視用チャネル（ＯＳＣ）の２つの要素から構成される。
【００４１】
図３−２は、ＯＡＤＭノードおよび光ノードに入力される光信号を示した図表である。ＯＡＤＭノード１２０、および光ノード１３０に入力される光信号（Ｃ１）は、図３−２に示すような伝送信号チャネル上の送受信用の光信号と、ＡＩＳを含めた監視用チャネル（ＯＳＣ）の双方を含んでいる。このＣ１の信号は、波長分離フィルタ３０１において伝送信号チャネルの送受信用の光信号Ｃ２（λ１〜λｎ）と、監視用チャネルの信号Ｃ３（
ＯＳＣ）に分離される。
【００４２】
図３−３は、光スイッチ部に入力される光信号を示した図表である。波長分離フィルタ３０１において分離された伝送信号チャネル上の送受信用の光信号（Ｃ２：λ１〜λｎ）は、光スイッチ部３００へ入力され、光スイッチ部３００によって透過（Ｔｈｒｕ）、挿入（Ａｄｄ）および分岐（Ｄｒｏｐ）といった各種の光クロスコネクトの目的に合わせた処理が施される。
【００４３】
この実施の形態における光スイッチ部３００は、後述する複数の波長選択スイッチ（ＷＳＳ）によって構成されている。そして、監視・制御部３１０の制御に基づいて、光スイッチ部３００に対する入力側の複数の波長選択スイッチの出力ポートと、出力側の複数の波長選択スイッチの複数の入力ポートとの間は、透過（Ｔｈｒｕ）の接続、あるいは異なる波長選択スイッチとなるクロスさせる接続とされていて、リング網Ａの第１の現用回線１００は、リング網Ｂの第１の現用回線１１０あるいは第２の現用回線１１５に経路切り替え自在である。なお、リング網Ａの第２の現用回線１０５は、リング網Ｂの第１の現用回線１１０あるいは第２の現用回線１１５に経路切り替えすることも可能である。
【００４４】
図３−４は、監視・制御部に入力される光信号を示した図表である。波長分離フィルタ３０１において分離された監視用チャネルの信号Ｃ３（ＡＩＳ）は、光受信機３１１に受信され、電気信号に変換された後、監視・制御部３１０へ入力される。監視・制御部３１０は、受信した信号を基に光スイッチ部３００に対して制御信号Ｃ４を出力する。監視・制御部３１０に入力された監視用チャネルの信号Ｃ３（ＡＩＳ）は、さらに下流の他のノードへ伝送される。このため、光送信機３１２は、監視・制御部３１０の電気信号を再度光信号に変換し、光信号を下流のノードへ伝送させる。出力された監視用チャネルの信号Ｃ３（ＡＩＳ）は、波長合波フィルタ３０２において、光スイッチ部３００から出力された送受信用の光信号（Ｃ２：λ１〜λｎ）と合波され、光信号Ｃ５として、伝送路へ出力される。
【００４５】
図４−１は、実施の形態１において２つのリング網を接続した光ノードの光スイッチの構成を示す図である。光ノード１３０（図１−１参照）は、リング網Ａ，Ｂ上に備えられたＯＡＤＭノード１２０（１２０ａ〜１２０ｆ）と同様に、光スイッチ３００と監視・制御部３１０等により構成されている（図３−１参照）。光スイッチは、光ノード１３０内の４×４光クロスコネクトスイッチ部（ＳＷ）１３１に該当し、その詳細な構成を示したのが図４−１である。監視・制御部については、ＯＡＤＭノード１２０と同様（図３−１参照）の構成である。
【００４６】
図示するように、４×４光クロスコネクトスイッチ部（ＳＷ）１３１は、リング網Ａの第１および第２の現用回線１００，１０５と、リング網Ｂの第１および第２の現用回線１１０，１１５を接続した４つの入力側の１×３波長選択スイッチ（ＷＳＳ）と、入力側の１×３波長選択スイッチ（ＷＳＳ）に対応する４つの出力側の３×１波長選択スイッチ（ＷＳＳ）と、により構成されている。
【００４７】
例えば、リング網Ａの第１の現用回線１００に接続される波長選択スイッチ（ＷＳＳ）４００の３つの出力は、同じリング網Ａの第１の現用回線１００の波長選択スイッチ（ＷＳＳ）４０１に出力する透過の経路と、異なるリング網Ｂの第１の現用回線１１０の波長選択スイッチ（ＷＳＳ）４０２に接続する経路と、リング網Ｂの第２の現用回線１１５の波長選択スイッチ（ＷＳＳ）４０３に接続する経路とからなる。他の波長選択スイッチ（ＷＳＳ）についても同様に、同じリング網の同じ回線、あるいは他のリング網が備える２つの回線のいずれかに経路切り替えが可能である。
【００４８】
次に、図４−２は、実施の形態１において３つのリング網を接続した光ノードを示す図、図４−３は、実施の形態１において３つのリング網を接続した光ノードの光スイッチ部の構成を示す図である。これまで２つのリング網の接続および動作について述べたが、３つのリング網の場合でも、図示するような構成の６×６光クロスコネクトスイッチ部１３１を備えることで、２つのリング網の接続を行った場合と同様に経路切り替えの動作が可能である。
【００４９】
光ノード１３０がリング網Ａａ、リング網Ｂａ、リング網Ｃａの３つのリング網の接続を行う場合、リング網Ａａの第１現用回線４１０および第２の現用回線４１５と、リング網Ｂａの第１現用回線４２０および第２の現用回線４２５と、リング網Ｃａの第１現用回線４３０および第２の現用回線４３５は、６×６光クロスコネクトスイッチ部１３１を用いて経路切り替えが可能である。６×６光クロスコネクトスイッチ部１３１は、入力側に６つの１×５波長選択スイッチ（ＷＳＳ）と、この入力側の１×５波長選択スイッチ（ＷＳＳ）に対応する出力側の６つの５×１波長選択スイッチ（ＷＳＳ）により構成できる。
【００５０】
例えば、リング網Ａａの第１の現用回線４１０に接続される波長選択スイッチ（ＷＳＳ）４０４の５つの出力は、同じリング網Ａａの第１の現用回線４１０の波長選択スイッチ（ＷＳＳ）４０５に出力する透過の経路と、異なるリング網Ｂａの第１の現用回線４２０の波長選択スイッチ（ＷＳＳ）４０６に接続する経路と、リング網Ｂａの第２の現用回線４２５の波長選択スイッチ（ＷＳＳ）４０７に接続する経路と、もう一つの異なるリング網Ｃａの第１の現用回線４３０の波長選択スイッチ（ＷＳＳ）４０８に接続する経路と、リング網Ｃａの第２の現用回線４３５の波長選択スイッチ（ＷＳＳ）４０９に接続する経路とからなる。他の波長選択スイッチ（ＷＳＳ）についても同様に、同じリング網の同じ回線、あるいは他の２つのリング網が備える２つの回線のいずれかに経路切り替えが可能である。
【００５１】
図４−１〜図４−３に示したように、Ｎ個のリング網の接続を行う光ノードは、入力側に１×（２Ｎ−１）ポートの波長選択スイッチ（ＷＳＳ）を２Ｎ個設ける。出力側については（２Ｎ−１）×１ポートの波長選択スイッチ（ＷＳＳ）を２Ｎ個設ける。この光ノードには、障害時における切り替え動作を高速に行える波長選択スイッチ（ＷＳＳ）を用いる。
【００５２】
そして、接続するネットワーク網の数が増加した場合であっても、波長選択スイッチの波長選択スイッチの個数を増設するだけで対応が可能となり、接続されるネットワーク網の増設に柔軟に対応できる。
【００５３】
このように、実施の形態１においては、障害が発生したリング網では、優先順位の高い光信号を断線させないよう回線の切り替えを行い、光ノードにおいて他方のリング網の回線に対する回線の切り替えを行う。この際、他方のリング網における各ＯＡＤＭノードでは障害発生の前後で回線の接続を変更させることなく通信を継続させることができる。なお、障害のない通常時は、２つの現用回線を有するため、回線の使用効率を向上できる。
【００５４】
（実施の形態２）
図５−１は、実施の形態２にかかる光ネットワークの構成を示す図である。実施の形態２は、複数のリング網を、光レベルで切り替えを行う光ノードで接続する。また、障害発生時の復旧にはＯＵＰＳＲ方式を用いる。
【００５５】
リング網Ｃは、現用回線５００と、予備回線５０５からなり、リング網Ｃ上には複数のＯＡＤＭノード５２０（５２０ａ〜５２０ｃ）を備えている。また、リング網Ｄは、現用回線５１０と、予備回線５１５からなり、リング網Ｄ上には、複数のＯＡＤＭノード５２
０（５２０ｄ〜５２０ｆ）を備えている。このリング網Ｃ，Ｄは、現用回線接続用の光クロスコネクトスイッチ部（ＳＷ）５３１と、予備回線接続用の光クロスコネクトスイッチ部（ＳＷ）５３２とを備えた光ノード５３０によって接続されている。
【００５６】
ＯＡＤＭノード５２０（５２０ａ〜５２０ｆ）は、光スイッチ部と、監視・制御部（不図示）からなる。監視・制御部は、リング網Ｃ，Ｄに障害が発生した場合の復旧動作を目的とした機能部である。この監視・制御部の構成は、図３−１〜図３−４を用いて説明した内容と同一である。したがって、ここではＯＡＤＭノード５２０（５２０ａ〜５２０ｆ）の光スイッチ部の構成について説明する。
【００５７】
ＯＡＤＭノード５２０（５２０ａ〜５２０ｆ）は、トランスポンダ５２１と、現用回線用のＯＡＤＭスイッチ部（ＳＷ）５２２ａと、予備回線用のＯＡＤＭスイッチ部（ＳＷ）５２２ｂと、受信する光信号の回線を切り替え用の１波光スイッチ（ＳＷ）５２３とを備えている。また、ＯＡＤＭノード５２０（５２０ａ〜５２０ｆ）は、図示しない光パワーモニタを備えており、この光パワーモニタにより障害発生の検出を行う。
【００５８】
次に、リング網ＣのＯＡＤＭノード５２０ａを送信端とし、リング網ＤのＯＡＤＭノード５２０ｅを受信端として、現用回線５００，５１０を用いて光信号を伝送する場合の動作を説明する。ＯＡＤＭノード５２０ａのトランスポンダ５２１から伝送された光信号は、１波光スイッチ（ＳＷ）５２３を経由し、現用回線用のＯＡＤＭスイッチ部（ＳＷ）５２２ａへ伝送される。このとき、光信号は、図示しない光カプラ等で分岐され、予備回線用のＯＡＤＭスイッチ部（ＳＷ）５２２ｂへも同時に伝送される。なお、ＯＵＰＳＲの場合、１波光スイッチ（ＳＷ）５２３は一般的には光カプラが用いられ、現用回線５００と予備回線５０５を用いて同時に光信号を下流に流す。
【００５９】
現用回線用のＯＡＤＭスイッチ部（ＳＷ）５２２ａに伝送された光信号は、現用回線５００上のＯＡＤＭノード５２０ｂを経て光ノード５３０に入力され、リング網Ｄの現用回線５１０に接続される。光信号はさらに、ＯＡＤＭノード５２０ｆを経て、受信端となるＯＡＤＭノード５２０ｅの現用回線用のＯＡＤＭスイッチ部（ＳＷ）５２２ａに入力され、１波光スイッチ（ＳＷ）５２３により現用回線用のトランスポンダ５２１に接続され、受信される。
【００６０】
このとき、リング網ＣのＯＡＤＭノード５２０ａの予備回線用のＯＡＤＭスイッチ部（ＳＷ）５２２ｂから予備回線５０５に対しても光信号は伝送される。この光信号も光ノード５３０においてリング網Ｄの予備回線５１５へ接続され、受信端となるＯＡＤＭノード５２０ｅの予備回線用のＯＡＤＭスイッチ部（ＳＷ）５２２ｂまで伝送される。ただし、通常の動作時では、受信側の１波光スイッチ（ＳＷ）５２３は、常に現用回線用のＯＡＤＭスイッチ部（ＳＷ）と受信側のトランスポンダ５２１を接続しているため、予備回線５０５，５１５を介して伝送されてきた光信号はトランスポンダ５２１で受信されることはない。
【００６１】
図５−２は、実施の形態２における障害発生時の復旧動作を示す図である。図６は、障害発生から各ＯＡＤＭノードの光スイッチの切り替えまでの処理を示すフローチャートである。送信端としてのＯＡＤＭノード５２０ａと、ＯＡＤＭノード５２０ｂとの間で障害１１が発生した場合（ステップＳ６０１）、障害１１の発生地点の直後のＯＡＤＭノード５２０ｂ内の図示しない光パワーモニタによって光信号の切断を検出する（ステップＳ６０２）。
【００６２】
障害１１を検出したＯＡＤＭノード５２０ｂは、現用回線５００の監視用チャネル（ＯＳＣ）を用いて光信号の切断の情報（ＡＩＳ）を送出し、光ノード５３０に障害１１を報
知する。光ノード５３０では、光クロスコネクトスイッチ部（ＳＷ）５３１を介してリング網Ｄの現用回線５１０に光信号の切断の情報（ＡＩＳ）を、受信端であるＯＡＤＭノード５２０ｅに障害１１を報知する（ステップＳ６０３）。
【００６３】
障害１１を報知された受信端のＯＡＤＭノード５２０ｅでは、１波光スイッチ（ＳＷ）５２３の接続を切り替える。すなわち、１波光スイッチ（ＳＷ）５２３は、現用回線５１０から同一の光信号が流れている予備回線５１５へ切り替える（ステップＳ６０４）。以上説明した動作により、実施の形態２におけるプロテクションは終了し、光信号は、受信端のＯＡＤＭノード５２０ｅのトランスポンダ５２１によって受信を継続することができるようになる。
【００６４】
図７−１は、実施の形態２において２つのリング網を接続した光ノードの光スイッチ部の構成を示す図である。光ノード５３０（図５−１参照）は、リング網上に備えられたＯＡＤＭノードと同様に、光スイッチ部と、監視・制御部とによって構成される。光スイッチ部は、光ノード５３０内の複数の光クロスコネクトスイッチ部（ＳＷ）５３１，５３２に該当し、その詳細な構成を示したのが図７−１である。監視・制御部については、ＯＡＤＭノード１２０（図３−１参照）と同様の構成である。
【００６５】
図示するように、光ノード５３０は、リング網Ｃの現用回線５００と、リング網Ｄの現用回線５１０を接続した２つの入力側の１×２波長選択スイッチ（ＷＳＳ）と、入力側の１×２波長選択スイッチ（ＷＳＳ）に対応する２つの出力側の２×１波長選択スイッチ（ＷＳＳ）とを備える。これらによって現用回線専用の光クロスコネクトスイッチ部５３１が構成される。また、リング網Ｃの予備回線５０５と、リング網Ｄの予備回線５１５を接続した２つの入力側の１×２波長選択スイッチ（ＷＳＳ）と、入力側の１×２波長選択スイッチ（ＷＳＳ）に対応する２つの出力側の２×１波長選択スイッチ（ＷＳＳ）とを備える。これらによって予備回線専用の光クロスコネクトスイッチ部５３２が構成される。このように、実施の形態２の光ノード５３０は、現用回線専用の光クロスコネクトスイッチ部５３１と、予備回線専用の光クロスコネクトスイッチ部５３２とを分離した構成となっている。
【００６６】
例えば、リング網Ｃの現用回線５００に接続される波長選択スイッチ（ＷＳＳ）７００の２つの出力は、リング網Ｃの現用回線５００の波長選択スイッチ（ＷＳＳ）７０１に出力する透過の経路と、異なるリング網の現用回線５１０の波長選択スイッチ（ＷＳＳ）７０２接続する経路からなる。同様に、リング網Ｃの予備回線５０５に接続される波長選択スイッチ（ＷＳＳ）７０３の２つの出力は、リング網Ｃの予備回線５０５の波長選択スイッチ（ＷＳＳ）７０４に出力する透過の経路と、異なるリング網の予備回線５１５の波長選択スイッチ（ＷＳＳ）７０５接続する経路からなる。他の波長選択スイッチ（ＷＳＳ）についても同様に、現用回線は、現用回線同士で接続を行い、予備回線は、予備回線同士で接続を行う。
【００６７】
図７−２は、実施の形態２において３つのリング網を接続した光ノードの光スイッチ部の構成を示す図である。接続するリング網がこのように３つに増加しても現用回線と予備回線とで分離した光スイッチ部を設けることで、上述した２つのリング網の接続と同様の動作を行うことができる。
【００６８】
図７−２に示す光ノード５４０は、リング網Ｃｂ、リング網Ｄｂ、リング網Ｅｂの３つのリング網の接続を行う。光ノード５４０は、リング網Ｃｂの現用回線７２０と、リング網Ｄｂの現用回線７３０と、リング網Ｅｂの現用回線７４０を接続した３つの入力側の１×３波長選択スイッチ（ＷＳＳ）と、入力側の１×３波長選択スイッチ（ＷＳＳ）に対応する３つの出力側の３×１波長選択スイッチ（ＷＳＳ）とによって現用回線専用の光クロ
スコネクトスイッチ部５４１を構成している。また、リング網Ｃｂの予備回線７２５と、リング網Ｄｂの予備回線７３５と、リング網Ｅｂの予備回線７４５を接続した３つの入力側の１×３波長選択スイッチ（ＷＳＳ）と、入力側の１×３波長選択スイッチ（ＷＳＳ）に対応する３つの出力側の３×１波長選択スイッチ（ＷＳＳ）とによって予備回線専用の光クロスコネクトスイッチ部５４２を構成している。
【００６９】
例えば、リング網Ｃｂの現用回線７２０に接続される波長選択スイッチ（ＷＳＳ）７０６の３つの出力は、リング網Ｃｂの現用回線７２０の波長選択スイッチ（ＷＳＳ）７０７に出力する透過の経路と、異なるリング網の現用回線７３０の波長選択スイッチ（ＷＳＳ）７０８へ接続する経路と、もう一つの異なるリング網の現用回線７４０の波長選択スイッチ（ＷＳＳ）７０９へ接続する経路からなる。同様に、リング網Ｃｂの予備回線７２５に接続される波長選択スイッチ（ＷＳＳ）７１０の３つの出力は、リング網Ｃｂの予備回線７２５の波長選択スイッチ（ＷＳＳ）７１１に出力する透過の経路と、異なるリング網の予備回線７３５の波長選択スイッチ（ＷＳＳ）７１２に接続する経路と、もう一つの異なるリング網の予備回線７４５の波長選択スイッチ（ＷＳＳ）７１３に接続する経路からなる。他の波長選択スイッチも同様に、現用回線は、現用回線用の光クロスコネクトスイッチ部５４１により現用回線同士で接続を行い、予備回線は、予備回線用の光クロスコネクトスイッチ部５４２により予備回線同士で接続を行う。
【００７０】
図７−１および図７−２に示したように、波長選択スイッチ（ＷＳＳ）は、現用回線用は現用回線用のみ、予備回線用は予備回線用のみと接続されている。また、Ｎ個のリング網の接続を行う光ノードは、入力側に、１×Ｎポートの波長選択スイッチ（ＷＳＳ）を２Ｎ個設ける。また、出力側にも、Ｎ×１ポートの波長選択スイッチ（ＷＳＳ）を、２Ｎ個設ける。実施の形態２における光ノードでは、障害発生時であっても切り替え動作を行わないため、低速動作の波長選択スイッチを適用して構成することができる。
【００７１】
このように、実施の形態２にかかる構成では、複数のリング網の現用回線と、予備回線とをそれぞれ分けて接続して、複数のリング網で現用回線のリング網と、予備回線のリング網とを構成できるようになる。そして、現用回線で障害が発生した場合であっても、受信端となるＯＡＤＭノードの接続回線を予備回線に切り替える光スイッチの動作だけで復旧が可能となる。また、光ノードの光スイッチには、障害発生時に低速動作の波長選択スイッチが適用可能である。これにより、実施の形態２によるＯＵＰＳＲ方式を用いた構成は、実施の形態１のＯＳＰＰＲ方式に比べて、入出力ファイバ数や、応答速度等の波長選択スイッチへの厳しい要求を緩和できる。
【００７２】
図８は、実施の形態２の光ノードに波長変換機能を追加した例を示す図である。光ノード内の光スイッチ部８００は、入力用の１×３波長選択スイッチ（ＷＳＳ）８０１と、出力用の４×１波長選択スイッチ（ＷＳＳ）８０２と、これら波長選択スイッチ（ＷＳＳ）８０１，８０２の間に設けた波長変換機能部８０３とにより構成される。波長変換機能部８０３は、光分波器（ＤＥＭＵＸ）８０４と、波長可変トラスポンダ（Ｔｕ−ＴＲＰ）８０５と、波長無依存合波器（ＭＵＸ）８０６と、１×２波長選択スイッチ（ＷＳＳ）８０７とを備えている。入力用の１×３波長選択スイッチ（ＷＳＳ）８０１は、３つの出力ポートのうち一つが波長変換機能部８０３に接続されており、波長変換機能部８０３からは、２つの出力が異なるリング網Ｃ，Ｄにそれぞれ設けられている出力用の４×１波長選択スイッチ（ＷＳＳ）８０２のうちいずれかを選択して出力できる。
【００７３】
図示した構成は、２つのリング網の接続例であるが、接続するリング網がＮ個であれば、入力用の波長選択スイッチ８０１は、それぞれ１×（Ｎ＋１）ポートのものを用い、出力側の波長選択スイッチ８０２は、（Ｎ＋２）×１のポートのものを用いる。光分波器（ＤＥＭＵＸ）８０４としては、波長選択スイッチ、アレイ導波路格子等を用い、波長無依
存合波器（ＭＵＸ）８０６としては、波長選択スイッチ、光カプラ等を用いることができる。
【００７４】
上記構成によれば、入力用の１×３波長選択スイッチ８０１は、３つの出力ポートのうち、波長変換すべき信号のポートを一旦分岐して波長可変トラスポンダ（Ｔｕ−ＴＲＰ）８０５に出力させる。この波長可変トラスポンダ（Ｔｕ−ＴＲＰ）８０５によって波長を変換した後、波長無依存分波器（ＭＵＸ）８０６を介して、再び出力用の３×１波長選択スイッチ（ＷＳＳ）８０２へ挿入する。ただし、挿入用のＡｄｄ信号を任意のリングに出力する必要があり、図示のように波長選択スイッチを組み合わせたルート切り替えを行う。
【００７５】
以上のように、付加機能として、光ノードの部分に波長変換機能を持たせることにより、ネットワーク内の波長の輻輳（ブロッキング）を防いでネットワーク内の波長利用効率を上げることができる。また、このような波長変換機能の追加は、実施の形態１における光ノードおよび光分岐挿入装置においても同様に適用が可能である。
【００７６】
なお、実施の形態１および実施の形態２では複数のリング網の接続に関する例を説明したが、メッシュ網のネットワークも基本的には複数のリング網の集まりとして分離して考えることができるため、本発明にかかる光ノードおよび光分岐挿入装置を用い、上述した２つのプロテクション方式を適用することができる。
【００７７】
以上説明したように、本発明にかかる光ノードおよび光分岐挿入装置によれば、光レベルで接続の切り替えを行う光ノードにリング網同士を接続し、なおかつ、従来のプロテクション方式をそのまま採用できるという利点を有する。
【００７８】
（付記１）少なくとも２回線の光伝送路によってそれぞれが構成されている複数の光ネットワーク網の交差箇所に配置され、前記複数の光ネットワーク網を互いに光接続する光ノードであって、
前記複数の光ネットワーク網が有する前記複数の回線を切り替えて、前記複数の光ネットワーク網を光接続する波長選択スイッチと、
前記波長選択スイッチの切り替えを制御し、前記複数の光ネットワーク網のいずれかの回線において前記光伝送路の障害が発生したことを示す故障情報の入力に基づいて、前記波長選択スイッチを、障害が発生した前記回線を迂回する他の回線を用いた接続に切り替えを行う制御手段と、
を備えたことを特徴とする光ノード。
【００７９】
（付記２）前記制御手段は、前記複数のネットワーク網において障害が発生したネットワーク網における当該障害が発生した回線を迂回する他の回線に接続を切り替え、前記障害が未発生のネットワーク網では前記障害発生の前後における回線の切り替えを不実行とすることを特徴とする付記１に記載の光ノード。
【００８０】
（付記３）前記波長選択スイッチは、前記複数の光ネットワーク網を構成している光伝送路の前記回線の入力側と出力側にそれぞれ設けられる複数の１入力Ｎ出力またはＮ入力１出力（Ｎは２以上の整数）波長選択スイッチからなり、
前記回線の入力側に設けられる複数の波長選択スイッチが有する複数の出力ポートと、前記回線の出力側に設けられる複数の波長選択スイッチが有する複数の入力ポートとは、前記入力側と出力側とを透過（Ｔｈｒｕ）させる経路のポート間接続、および前記入力側と出力側とが異なる波長選択スイッチにクロスして接続させた経路のポート間接続、であることを特徴とする付記１に記載の光ノード。
【００８１】
（付記４）前記複数の光ネットワーク網の数がＮ、各光ネットワーク網が有する前記伝送路の回線の数が２のとき、
前記入力側に設けられる波長選択スイッチは、出力側のポートが１×（２Ｎ−１）のポート数を有し、
前記出力側に設けられる波長選択スイッチは、入力側のポートが（２Ｎ−１）×１のポート数を有することを特徴とする付記３に記載の光ノード。
【００８２】
（付記５）前記制御手段は、入力された前記故障情報を伝送路の下流のノードに出力することを特徴とする付記１〜４のいずれか一つに記載の光ノード。
【００８３】
（付記６）現用回線と、予備回線からなる２回線の光伝送路によってそれぞれが構成されている複数の光ネットワーク網の交差箇所に配置され、前記複数の光ネットワーク網を互いに光接続する光ノードであって、
前記複数の光ネットワーク網がそれぞれ有する前記現用回線同士を互いに接続する第１の波長選択スイッチと、
前記複数の光ネットワーク網がそれぞれ有する前記予備回線同士を互いに接続する第２の波長選択スイッチと、
を備えたことを特徴とする光ノード。
【００８４】
（付記７）前記第１の波長選択スイッチ、および第２の波長選択スイッチはそれぞれ、前記複数の光ネットワーク網を構成している光伝送路の前記回線の入力側と出力側にそれぞれ設けられる複数の１入力Ｎ出力またはＮ入力１出力（Ｎは２以上の整数）波長選択スイッチからなり、
前記回線の入力側に設けられる複数の波長選択スイッチが有する複数の出力ポートと、前記回線の出力側に設けられる複数の波長選択スイッチが有する複数の入力ポートとは、前記入力側と出力側とを透過（Ｔｈｒｕ）させる経路のポート間接続、および前記入力側と出力側とが異なる波長選択スイッチにクロスして接続させた経路のポート間接続、であることを特徴とする付記６に記載の光ノード。
【００８５】
（付記８）前記複数の光ネットワーク網の数がＮ、各光ネットワーク網が有する前記伝送路の回線の数が２のとき、
前記入力側に設けられる波長選択スイッチは、出力側のポートが１×Ｎのポート数を有し、
前記出力側に設けられる波長選択スイッチは、入力側のポートがＮ×１のポート数を有することを特徴とする付記７に記載の光ノード。
【００８６】
（付記９）前記光ネットワーク網の前記光伝送路上を伝送される任意の光信号の波長を変換する波長変換手段を有することを特徴とする付記１〜８のいずれか一つに記載の光ノード。
【００８７】
（付記１０）少なくとも２回線の光伝送路によってそれぞれが構成されている複数の光ネットワーク網のノードにそれぞれ配置され、前記光ネットワーク網に対して光信号の分岐および挿入を行う光分岐挿入装置において、
前記光ネットワーク網が有する光伝送路の回線にそれぞれ接続され、前記光信号を分岐あるいは挿入させる複数の波長選択スイッチと、
前記ノードに分岐あるいは挿入させる前記光信号を前記複数の波長選択スイッチのうち一つに接続するために接続を切り替える切り替え用１波光スイッチあるいは光カプラと、
前記切り替え用１波光スイッチあるいは光カプラの接続を切り替えて、前記ノードにおいて前記光信号を分岐あるいは挿入させるために用いる前記回線を選択する制御手段と、
を備えたことを特徴とする光分岐挿入装置。
【００８８】
（付記１１）前記制御手段は、前記複数の光ネットワーク網が有するいずれかの回線において前記光伝送路の障害が発生したことを示す故障情報の入力に基づいて、前記切り替え用１波光スイッチあるいは光カプラの接続を切り替えることを特徴とする付記１０に記載の光分岐挿入装置。
【産業上の利用可能性】
【００８９】
以上のように、本発明にかかる光ノードおよび光分岐挿入装置は、メトロネットワークに有用であり、特に、企業内ネットワーク等の高信頼性が求められるネットワークに適している。
【図面の簡単な説明】
【００９０】
【図１−１】実施の形態１にかかる光ネットワークの構成を示す図である。
【図１−２】実施の形態１における障害発生時の復旧動作を示す図である。
【図２】障害発生から各ＯＡＤＭノードの光スイッチの切り替えまでの処理を示すフローチャートである。
【図３−１】ＯＡＤＭノードおよび光ノードの内部構成を示すブロック図である。
【図３−２】ＯＡＤＭノードおよび光ノードに入力される光信号を示した図表である。
【図３−３】光スイッチ部に入力される光信号を示した図表である。
【図３−４】監視・制御部に入力される光信号を示した図表である。
【図４−１】実施の形態１において２つのリング網を接続した光ノードの光スイッチ部の構成を示す図である。
【図４−２】実施の形態１において３つのリング網を接続した光ノードを示す図である。
【図４−３】実施の形態１において３つのリング網を接続した光ノードの光スイッチ部の構成を示す図である。
【図５−１】実施の形態２にかかる光ネットワークの構成を示す図である。
【図５−２】実施の形態２における障害発生時の復旧動作を示す図である。
【図６】障害発生から各ＯＡＤＭノードの光スイッチの切り替えまでの処理を示すフローチャートである。
【図７−１】実施の形態２において２つのリング網を接続した光ノードの光スイッチ部の構成を示す図である。
【図７−２】実施の形態２において３つのリング網を接続した光ノードの光スイッチ部の構成を示す図である。
【図８】実施の形態２の光ノードに波長変換機能を追加した例を示す図である。
【図９−１】ＯＵＰＳＲ方式におけるリング網の構成を示す図である。
【図９−２】ＯＡＤＭスイッチ部の構成例を示す図である。
【図９−３】ＯＡＤＭスイッチ部の構成例を示す図である。
【図９−４】障害発生時のＯＵＰＳＲ方式の復旧動作を示す図である。
【図１０−１】ＯＳＰＰＲ方式におけるリング網の構成を示す図である。
【図１０−２】障害発生時のＯＳＰＰＲ方式の復旧動作を示す図である。
【図１１】複数のリング網の光−電気変換による接続例を示す図である。
【図１２−１】波長選択スイッチの機能を示す図である。
【図１２−２】波長選択スイッチの機能を示す図である。
【図１２−３】波長選択スイッチの構成を示す斜視図である。
【図１２−４】波長選択スイッチの構成を示す側面図である。
【図１２−５】波長選択スイッチにおけるポート切り替え動作を示す側面図である。
【符号の説明】
【００９１】
１００，１１０  第１の現用回線
１０５，１１５  第２の現用回線
１２０ａ〜１２０ｆ  ＯＡＤＭノード
１３０  光ノード
１２２ａ，１２２ｂ  ＯＡＤＭスイッチ部
１２３  １波光スイッチ
１３１  光クロスコネクトスイッチ部
【図１−１】
2006191212.tif 000003
【図１−２】
2006191212.tif 000004
【図２】
2006191212.tif 000005
【図３−１】
2006191212.tif 000006
【図３−２】
2006191212.tif 000007
【図３−３】
2006191212.tif 000008
【図３−４】
2006191212.tif 000009
【図４−１】
2006191212.tif 000010
【図４−２】
2006191212.tif 000011
【図４−３】
2006191212.tif 000012
【図５−１】
2006191212.tif 000013
【図５−２】
2006191212.tif 000014
【図６】
2006191212.tif 000015
【図７−１】
2006191212.tif 000016
【図７−２】
2006191212.tif 000017
【図８】
2006191212.tif 000018
【図９−１】
2006191212.tif 000019
【図９−２】
2006191212.tif 000020
【図９−３】
2006191212.tif 000021
【図９−４】
2006191212.tif 000022
【図１０−１】
2006191212.tif 000023
【図１０−２】
2006191212.tif 000024
【図１１】
2006191212.tif 000025
【図１２−１】
2006191212.tif 000026
【図１２−２】
2006191212.tif 000027
【図１２−３】
2006191212.tif 000028
【図１２−４】
2006191212.tif 000029
【図１２−５】
2006191212.tif 000030